(57)【要約】      （修正有）【課題】係員の負担を増大することなく、異常を発生したカード媒体を再利用可能とするカード処理装置及びカード処理方法を提供することを目的とする。【解決手段】カード製造ユニット１００は、カード媒体を供給する供給部１１０と、カード媒体に対して磁気処理を施す磁気処理部１２０と、カード媒体に対して印刷処理を施す印刷処理部１３０と、カード媒体に対して施した処理履歴を記憶するメモリ部と、供給部１１０から供給されたカード媒体の処理履歴を参照して印刷処理前のカード媒体に対しては磁気処理部１２０による磁気処理及び印刷処理部１３０による印刷処理を施し、印刷処理後のカード媒体に対しては磁気処理部１２０による磁気処理を施すように制御するＣＰＵと、を備えている。【選択図】    図２
2004206407.tif 000002
【特許請求の範囲】
【請求項１】
カード媒体を供給する供給手段と、
カード媒体に対して磁気処理を施す磁気処理手段と、
カード媒体に対して印刷処理を施す印刷手段と、
カード媒体に対して施した処理履歴を記憶する記憶手段と、
前記供給手段から供給されたカード媒体の処理履歴を参照して、印刷処理前のカード媒体に対しては前記印刷手段による印刷処理及び前記磁気処理手段による磁気処理を施し、印刷処理後のカード媒体に対しては前記磁気処理手段による磁気処理を施すように制御する制御手段と、
を備えたことを特徴とするカード処理装置。
【請求項２】
カード媒体を供給する供給手段と、
カード媒体から磁気情報を読み取るとともに、カード媒体に対して所定の磁気情報を書き込む磁気処理手段と、
カード媒体に対して印刷処理を施す印刷手段と、
カード媒体に対して施した処理履歴を記憶する記憶手段と、
前記磁気処理手段により前記供給手段から供給されたカード媒体から磁気情報を読み取り、前記記憶手段から対応するカード媒体の処理履歴を参照して、印刷処理前のカード媒体に対しては前記印刷手段による印刷処理及び前記磁気処理手段による磁気処理を施し、印刷処理後のカード媒体に対しては前記磁気処理手段による磁気処理を施すように制御する制御手段と、
を備えたことを特徴とするカード処理装置。
【請求項３】
カード媒体を供給する供給手段と、
カード媒体から磁気情報を読み取るとともに、カード媒体に対して固有の識別情報及び所定の磁気情報を書き込む磁気処理手段と、
カード媒体に対して印刷処理を施す印刷手段と、
前記磁気処理手段によりカード媒体に書き込んだ識別情報に関連付けて、このカード媒体に対して施した処理履歴を記憶する記憶手段と、
前記磁気処理手段により前記供給手段から供給されたカード媒体から識別情報を読み取り、前記記憶手段から対応するカード媒体の処理履歴を参照して、印刷処理前のカード媒体に対しては前記印刷手段による印刷処理及び前記磁気処理手段による磁気処理を施し、印刷処理後のカード媒体に対しては前記磁気処理手段による磁気処理を施し、該当する処理履歴の無いカード媒体に対しては前記印刷手段による印刷処理及び前記磁気処理手段による磁気処理を施すように制御する制御手段と、
を備えたことを特徴とするカード処理装置。
【請求項４】
カード媒体を供給する供給手段と、
カード媒体に対して磁気処理を施す磁気処理手段と、
カード媒体に対して印刷処理を施す印刷手段と、
カード媒体を回収する回収手段と、
カード媒体に対して施した処理履歴を記憶する記憶手段と、
前記供給手段から供給されたカード媒体の処理履歴を参照して、印刷処理前のカード媒体に対しては前記印刷手段による印刷処理及び前記磁気処理手段による磁気処理を施し、印刷処理後のカード媒体に対しては前記磁気処理手段による磁気処理を施し、印刷処理中の処理履歴を有するカード媒体を前記回収手段に回収するように制御する制御手段と、
を備えたことを特徴とするカード処理装置。
【請求項５】
予めスタックされたカード媒体を供給する第１供給手段と、
１枚ずつセットされたカード媒体を供給する第２供給手段と、
前記第２供給手段にセットされたカード媒体を検知する検知手段と、
カード媒体に対して磁気処理を施す磁気処理手段と、
カード媒体に対して印刷処理を施す印刷手段と、
カード媒体に対して施した処理履歴を記憶する記憶手段と、
前記検知手段により前記第２供給手段にセットされたカード媒体を検知したのに基づいて前記第２供給手段からカード媒体を供給し、供給されたカード媒体の処理履歴を参照して、印刷処理前のカード媒体に対しては前記印刷手段による印刷処理及び前記磁気処理手段による磁気処理を施し、印刷処理後のカード媒体に対しては前記磁気処理手段による磁気処理を施すように制御する制御手段と、
を備えたことを特徴とするカード処理装置。
【請求項６】
前記磁気処理手段及び前記印刷手段に向けてカード媒体を搬送する搬送手段と、
カード媒体に対して施した処理の異常を検知する異常検知手段と、を備え、
前記制御手段は、前記異常検知手段によって異常の発生を検知したのに基づいて、前記搬送手段によるカード媒体の搬送を停止することを特徴とする請求項１乃至５に記載のカード処理装置。
【請求項７】
前記異常検知手段は、カード媒体に対して施した磁気処理の異常を検知する手段を含むことを特徴とする請求項６に記載のカード処理装置。
【請求項８】
前記異常検知手段は、カード媒体を搬送する途中で発生した搬送異常を検知する手段を含むことを特徴とする請求項６に記載のカード処理装置。
【請求項９】
カード媒体に対して施した処理履歴を記憶し、
カード媒体を供給し、
供給されたカード媒体の処理履歴を参照し、
印刷処理前の処理履歴を有するカード媒体に対しては印刷処理を施すとともに磁気処理を施し、
印刷処理後の処理履歴を有するカード媒体に対しては磁気処理を施す、
ことを特徴とするカード処理方法。
【請求項１０】
カード媒体を供給し、
カード媒体から磁気情報を読み取るとともに、カード媒体に対して所定の磁気情報を書き込み、
カード媒体に対して印刷処理を施し、
カード媒体に対して施した処理履歴を記憶し、
再供給されたカード媒体から磁気情報を読み取り、
対応するカード媒体の処理履歴を参照し、
印刷処理前の処理履歴を有するカード媒体に対しては印刷処理及び磁気処理を施し、
印刷処理後の処理履歴を有するカード媒体に対しては磁気処理を施す、
ことを特徴とするカード処理方法。
【請求項１１】
カード媒体を供給し、
カード媒体から磁気情報を読み取るとともに、カード媒体に対して固有の識別情報及び所定の磁気情報を書き込み、
カード媒体に対して印刷処理を施し、
カード媒体に書き込んだ識別情報に関連付けて、このカード媒体に対して施した処理履歴を記憶し、
再供給されたカード媒体から識別情報を読み取り、
対応するカード媒体の処理履歴を参照し、
印刷処理前の処理履歴を有するカード媒体に対しては印刷処理及び磁気処理を施し、
印刷処理後の処理履歴を有するカード媒体に対しては磁気処理を施し、
該当する処理履歴の無いカード媒体に対しては印刷処理及び磁気処理を施す、
ことを特徴とするカード処理方法。
【発明の詳細な説明】
【０００１】
【発明の属する技術分野】
この発明は、カード処理装置及びカード処理方法に係り、特に、処理途中において異常を発生したカード媒体の再利用処理に関する。
【０００２】
【従来の技術】
従来、乗車券や各種カード媒体を発券する発券機を備えた券類処理装置が提案されている（例えば、特許文献１参照。）。このような装置においては、供給部から供給されたカード媒体に対してすべての処理を施して集積部に集積したタイミングで供給部から次のカード媒体が供給される。
【０００３】
【特許文献１】
特開平１０−３３４２８５号公報
【発明が解決しようとする課題】
上述したような装置において、単位時間当たりの処理枚数を増やそうとした場合、先に供給されたカード媒体が集積部に集積される前のタイミングで次のカード媒体を供給する必要がある。つまり、供給部から集積部の間の搬送路上には、少なくとも２枚のカード媒体が存在することになる。
【０００４】
このような状態で、搬送路の途中でのジャム（すなわち搬送路中にカード媒体が滞留することによるカード詰まり）や、磁気処理部においてのエンコードミスなどの各種異常が発生した場合、どのカード媒体がどのような異常を発生したのか対応付けが複雑となる。したがって、このような異常を発生したカード媒体は、すべて廃棄処分されている。
【０００５】
この発明は、上述した問題点に鑑みなされたものであって、その目的は、係員の負担を増大することなく、異常を発生したカード媒体を再利用可能とするカード処理装置及びカード処理方法を提供することにある。
【０００６】
【課題を解決するための手段】
この発明の第１の様態によるカード処理装置は、
カード媒体を供給する供給手段と、
カード媒体に対して磁気処理を施す磁気処理手段と、
カード媒体に対して印刷処理を施す印刷手段と、
カード媒体に対して施した処理履歴を記憶する記憶手段と、
前記供給手段から供給されたカード媒体の処理履歴を参照して、印刷処理前のカード媒体に対しては前記印刷手段による印刷処理及び前記磁気処理手段による磁気処理を施し、印刷処理後のカード媒体に対しては前記磁気処理手段による磁気処理を施すように制御する制御手段と、
を備えたことを特徴とする。
【０００７】
この発明の第２の様態によるカード処理方法は、
カード媒体に対して施した処理履歴を記憶し、
カード媒体を供給し、
供給されたカード媒体の処理履歴を参照し、
印刷処理前の処理履歴を有するカード媒体に対しては印刷処理を施すとともに磁気処理を施し、
印刷処理後の処理履歴を有するカード媒体に対しては磁気処理を施す、
ことを特徴とする。
【０００８】
【発明の実施の形態】
以下、この発明の一実施の形態に係るカード処理装置及びカード処理方法について図面を参照して説明する。なお、ここで説明するカード処理装置は、交通機関などで流通しているカード媒体を処理するものであり、例えばストアードフェアカード、ストアードライドカード、各種企画カード、金額券カードなどを処理するものである。
【０００９】
図１に示すように、カード処理装置の一実施の形態に係るカード処理システム１は、操作ユニット１０と、カード製造ユニット１００とを備えている。すなわち、操作ユニット１０は、システム全体を制御する制御部１１を備えている。この制御部１１には、メモリ部１２、入力部１３、表示部１４、通信制御部１５などが接続されている。
【００１０】
メモリ部１２は、システム全体を制御するために必要な所定データを記憶している。入力部１３は、必要な所定情報の入力を受け付ける。表示部１４は、システム全体の動作状態、入力部１３を介して入力された所定情報などを表示する。通信制御部１５は、通信回線を介して接続されたカード製造ユニット１００などとの間でデータの送受信を行う。
【００１１】
図２に示すように、カード製造ユニット１００は、４つのセクション、すなわち供給手段として機能する供給部１１０、磁気処理手段として機能する磁気処理部１２０、印刷手段として機能する印刷処理部１３０、及び、集積部１４０を備えて構成されている。
【００１２】
また、このカード製造ユニット１００は、各セクションを接続するように設けられた搬送手段として機能する搬送機構１５０を備えている。すなわち、この搬送機構１５０は、供給部１００から集積部１４０までの間を結ぶ搬送路に沿って設けられ、これらの間でカード媒体を搬送する。搬送路は、複数の搬送ベルト及び搬送ローラによって規定されている。
【００１３】
供給部１１０は、第１供給手段として機能する２つのホッパすなわち上部ホッパ１１１及び下部ホッパ１１２を備えている。これらのホッパ１１１及び１１２は、磁気処理及び印刷処理ともになされていないカード媒体を所定枚数スタックすることが可能であり、例えば最大で１０００枚のカード媒体を搭載可能である。各ホッパ１１１及び１１２は、カード媒体を１枚ずつ取り出して搬送機構１５０に供給する。
【００１４】
また、供給部１１０は、第２供給手段として機能する手差し部１１３を備えている。この手差し部１１３は、１枚ずつセットされたカード媒体を取り出して搬送機構１５０に供給する。この手差し部１１３から供給されるカード媒体は、いずれかのセクションにおいて処理途中に異常を発生した再供給媒体であり、磁気処理前、磁気処理途中、印刷処理前、印刷処理途中、印刷処理後などの処理履歴を有している。
【００１５】
磁気処理部１２０は、バーコードリーダ部１２１、読取ヘッド１２２、書込ヘッド１２３、異常検知手段として機能するベリファイヘッド１２４などを備えている。バーコードリーダ部１２１は、カード媒体に予め印刷されたバーコードを読み取る。
【００１６】
読取ヘッド１２２は、カード媒体の磁気バーコード及びその他の磁気トラックに予め記録された磁気情報を読み取る。また、この読取ヘッド１２２は、再供給媒体に記録されたカード媒体固有の識別情報などの磁気情報を読み取る。書込ヘッド１２３は、カード媒体の磁気バーコード及びその他の磁気トラックに識別情報などの磁気情報を書き込む。ベリファイヘッド１２４は、書込ヘッド１２３によって書き込まれた所定の磁気情報を読み取る。
【００１７】
印刷処理部１３０は、カード媒体の表面に所定情報を印刷する第１印刷ヘッド１３１、カード媒体の裏面に所定情報を印刷する第２印刷ヘッド１３２などを備えいている。また、この印刷処理部１３０は、必要に応じて、カード媒体にパンチ処理を施すパンチ処理部、カード媒体のパンチ穴を検知する検知部などを備えても良い。
【００１８】
集積部１４０は、磁気処理及び印刷処理が施されたカード媒体を集積するスタッカ部１４１、不良カード媒体を回収する回収手段として機能する回収部１４２などを備えている。
【００１９】
各セクションは、搬送路に沿って複数の検知手段及び異常検知手段として機能するセンサＳを備えている。これらのセンサＳは、例えば透過型センサによって構成され、カード媒体の有無に対応した検知信号を出力する。
【００２０】
すなわち、供給部１１０においては、上部ホッパ１１１から取り出されるカード媒体の有無を検知するためのセンサＳ１１、下部ホッパ１１２から取り出されるカード媒体の有無を検知するためのセンサＳ１２、手差し部１１３から取り出されるカード媒体の有無を検知するためのセンサＳ１３、上部ホッパ１１１から供給されたカード媒体を検知するためのセンサＳ１４、下部ホッパ１１２から供給されたカード媒体を検知するためのセンサＳ１５などが設けられている。
【００２１】
磁気処理部１２０においては、供給部１１０から磁気処理部１２０に搬送されたカード媒体を検知するためのセンサＳ２１、バーコードリーダ部１２１を通過したカード媒体を検知するためのセンサＳ２２、書込ヘッド１２３に向かって搬送されたカード媒体を検知するためのセンサＳ２３、ベリファイヘッド１２４を通過したカード媒体を検知するためのセンサＳ２４などが設けられている。
【００２２】
印刷処理部１３０においては、磁気処理部１２０から印刷処理部１３０に搬送されたカード媒体を検知するためのセンサＳ３１などが設けられている。集積部１４においては、印刷処理部１３０から集積部１４０に搬送されたカード媒体を検知するためのセンサＳ４１、スタッカ部１４１に向けて搬送されたカード媒体を検知するためのセンサＳ４２、回収部１４２に向けて搬送されたカード媒体を検知するためのセンサＳ４３、スタッカ部１４１にスタックされたカード媒体を検知するためのセンサＳ４４などが設けられている。
【００２３】
図３に示すように、カード製造ユニット１００は、制御手段として機能するＣＰＵ２００を備えている。このＣＰＵ２００は、カード製造ユニット１００全体を制御する。このＣＰＵ２００には、記憶手段として機能するメモリ部２０１、供給制御部２０２、読取制御部２０３、磁気処理制御部２０４、印刷制御部２０５、集積制御部２０６、搬送制御部２０７、信号制御部２０８、通信制御部２０９などが接続されている。
【００２４】
メモリ部２０１は、カード製造ユニット１００を制御するための必要な所定データを記憶している。また、このメモリ部２０１は、図４に示すように、各カード媒体に対応する固有の識別情報に対して、磁気記録するべき磁気情報及び印刷するべき印刷情報を関連付けて記憶している。さらに、メモリ部２０１は、後述する各カード媒体の処理履歴を記憶する。
【００２５】
供給制御部２０２は、供給部１１０の上部ホッパ１１１、下部ホッパ１１２、及び、手差し部１１３の駆動を制御する。読取制御部２０３は、バーコードリーダ部１２１の駆動を制御する。
【００２６】
磁気処理制御部２０４は、読取ヘッド１２２、書込ヘッド１２３、及び、ベリファイヘッド１２４の駆動を制御する。ＣＰＵ２００は、磁気処理制御部２０４を制御して、ベリファイヘッド１２４によって読み取った磁気情報に基づいて磁気処理部１２０におけるエンコードミスを検知する。つまり、ベリファイヘッド１２４は、ＣＰＵ２００の制御に基づいてカード媒体に対して施した磁気処理の異常を検知する異常検知手段として機能する。
【００２７】
印刷制御部２０５は、第１印刷ヘッド１３１、及び、第２印刷ヘッド１３２の駆動を制御する。集積制御部２０６は、スタッカ部１４１、及び、回収部１４２の駆動を制御する。搬送制御部２０７は、搬送機構１５０を構成する搬送ローラ及び搬送ベルトの駆動を制御する。ＣＰＵ２００は、エンコードミスやジャムなどの異常発生時には、搬送制御部２０７を制御して搬送機構１５０の駆動を停止する。
【００２８】
信号制御部２０８は、各セクションに設けられた複数のセンサＳからの検知信号を検知する。ＣＰＵ２００は、信号制御部２０８を制御して、各センサＳからの検知信号に基づいて搬送路中に滞留しているカード媒体すなわちジャムの有無及びジャムの発生位置を検知する。つまり、各センサＳは、ＣＰＵ２００の制御に基づいてカード媒体を搬送する途中で発生した搬送異常を検知する異常検知手段として機能する。また、信号制御部２０８は、複数のセンサＳからの検知信号に基づいて、処理履歴を作成するために必要な情報をＣＰＵ２００に出力する。通信制御部２０９は、通信回線を介して接続された操作ユニット１０などとの間で所定データの送受信を行う。
【００２９】
メモリ部２０１に記憶される処理履歴は、カード媒体に対して施した処理の履歴に対応するものであり、「磁気処理前」、「磁気処理途中」、「印刷処理前」、「印刷処理途中」、「印刷処理後」、「完了」などのカテゴリを有する。ＣＰＵ２００は、例えば図４に示すように、カード媒体の識別情報に関連付けて処理履歴を作成し、メモリ部２０１に記憶する。
【００３０】
すなわち、異常発生時において、ＣＰＵ２００は、センサＳ１４またはＳ１５によって検知された後であってセンサＳ２３によって検知される前のカード媒体に対して「磁気処理前」の処理履歴を付与する。また、ＣＰＵ２００は、センサＳ２３によって検知された後であってセンサＳ２４によって検知される前のカード媒体、もしくは、センサＳ２３及びセンサＳ２４にて検知された状態で停止したカード媒体に対して「磁気処理途中」の処理履歴を付与する。
【００３１】
また、ＣＰＵ２００は、センサＳ２４によって検知された後であってセンサＳ３１によって検知される前のカード媒体に対して「印刷処理前」の処理履歴を付与する。また、ＣＰＵ２００は、センサＳ３１によって検知された後であってセンサＳ４１によって検知される前のカード媒体、もしくは、センサＳ３１及びセンサＳ４１にて検知された状態で停止したカード媒体に対して「印刷処理途中」の処理履歴を付与する。
【００３２】
さらに、ＣＰＵ２００は、センサＳ４１によって通過が検知された後のカード媒体に対して「印刷処理後」の処理履歴を付与する。ＣＰＵ２００は、センサＳ４４によってスタッカ部１４１への集積が検知されたカード媒体に対して「完了」の処理履歴を付与する。
【００３３】
次に、一連のカード媒体処理業務について、図５に示したフローチャートを参照して説明する。
【００３４】
すなわち、ＣＰＵ２００は、信号制御回路２０８を制御して、センサＳ１３からの出力信号に基づいて手差し部１１３にカード媒体がセットされているか否かを判断する（ＳＴ１１）。そして、ＣＰＵ２００は、手差し部１１３にカード媒体がセットされていないと判断したのに基づいて（ＳＴ１１、Ｎ）、通信制御部２０９を制御して、操作ユニット１０の入力部１３を介してスタートキーが押下されたか否かを検知する（ＳＴ１２）。
【００３５】
続いて、ＣＰＵ２００は、スタートキーが押下されたと判断したのに基づいて（ＳＴ１２、Ｙ）、搬送制御部２０７を制御して搬送機構１５０を駆動するとともに、供給制御部２０２を制御して上部ホッパ１１１または下部ホッパ１１２から１枚のカード媒体を供給する（ＳＴ１３）。
【００３６】
続いて、ＣＰＵ２００は、読取制御部２０３を制御して、バーコードリーダ部１２１を駆動し、カード媒体に予め印刷されたバーコードを光学的に読み取る（ＳＴ１４）。続いて、ＣＰＵ２００は、磁気処理部２０４を制御して、読取ヘッド１２２を駆動し、磁気バーコード及びその他の磁気トラックに予め記録された磁気情報を読み取る（ＳＴ１５）。
【００３７】
続いて、ＣＰＵ２００は、磁気処理部２０４を制御して、書込ヘッド１２３を駆動し、カード媒体の磁気バーコード及びその他の磁気トラックに、固有の識別情報を書き込むとともに、メモリ部２０１に記憶された識別情報に対応する所定の磁気情報を書き込む（ＳＴ１６）。そして、ＣＰＵ２００は、磁気処理部２０４を制御して、ベリファイヘッド１２４を駆動して磁気バーコード及びその他の磁気トラックに記録された磁気情報を読み取り、書込ヘッド１２３によって書き込まれた所定の磁気情報と一致するか否かを確認する（ＳＴ１７）。
【００３８】
ＣＰＵ２００は、書込ヘッド１２３を介して書き込んだ磁気情報と、ベリファイヘッド１２４を介して読み取った磁気情報とが一致しないもしくはベリファイヘッド１２４を介して磁気情報が読み取れない場合には、エンコードミスが発生したと判断する。
【００３９】
なお、ＣＰＵ２００は、ステップＳＴ１７において、カード媒体に対して正常なエンコードが完了したと判断したのに基づいて、供給制御部２０２を制御して、上部ホッパ１１１または下部ホッパ１１２から次に処理すべきカード媒体を供給する。これにより、供給部１１０から集積部１４０までの搬送路上には、２枚のカード媒体が存在することになり、これらのカード媒体に対して並行して処理がなされる。
【００４０】
続いて、ＣＰＵ２００は、印刷制御部２０５を制御して、第１印刷ヘッド１３１及び第２印刷ヘッド１３２を駆動して、メモリ部２０１に記憶された所定の印刷情報に基づいてカード媒体の表面及び裏面に所定情報を印刷する（ＳＴ１８）。
【００４１】
続いて、ＣＰＵ２００は、集積制御部２０６を制御して、スタッカ部１４１を駆動し、磁気処理及び印刷処理が施されたカード媒体を集積する（ＳＴ１９）。これにより、１枚のカード媒体に対する一連のカード処理動作を終了する。
【００４２】
次に、カード媒体に対する処理履歴を作成するための処理工程について、図６に示したフローチャートを参照して説明する。
【００４３】
すなわち、ＣＰＵ２００は、磁気処理部２０４を制御してベリファイヘッド１２４からの出力信号に基づいてエンコードミスを検知した場合（ＳＴ２１、Ｙ）、あるいは、信号処理部２０８を制御してジャムの発生を検知した場合には（ＳＴ２１、Ｎ；ＳＴ２２、Ｙ）、異常が発生したと判断して、搬送制御部２０７を制御して搬送機構１５０の駆動を停止する（ＳＴ２３）。
【００４４】
続いて、ＣＰＵ２００は、信号処理部２０８を制御して、各センサＳからの検知信号に基づいて搬送路中に滞留しているカード媒体の位置を検知する（ＳＴ２４）。そして、ＣＰＵ２００は、搬送路中に滞留している各カード媒体の識別番号に関連付けて処理履歴を作成し、メモリ部２０１に記憶する（ＳＴ２５）。ここでは、上述した各センサＳからの出力信号に基づいて、「磁気処理前」、「磁気処理途中」、「印刷処理前」、「印刷処理途中」、「印刷処理後」のいずれかの処理履歴が付与される。
【００４５】
続いて、ＣＰＵ２００は、通信制御部２０９を介して操作ユニット１０に異常が発生した旨の情報、滞留しているカード媒体の位置に対応した情報などを送信する。そして、操作ユニット１０の制御部１１は、カード製造ユニット１００から受信した情報に基づいて、表示部１４にカード媒体の滞留位置を表示する（ＳＴ２６）。
【００４６】
また、ＣＰＵ２００は、ステップＳＴ２２において、エンコードミス及びジャムのいずれも発生することなく、信号制御部２０８を介してセンサ４４からの検知信号に基づいてスタッカ部１４１への集積が検知されたカード媒体に対して「完了」の処理履歴を付与して、メモリ部２０１に記憶する（ＳＴ２７）。
【００４７】
次に、異常を発生して搬送路中に滞留したカード媒体の再供給時の処理工程について、図７に示したフローチャートを参照して説明する。なお、再供給可能なカード媒体は、目視によって破損がないと確認できたものに限られる。
【００４８】
すなわち、ＣＰＵ２００は、信号制御回路２０８を制御して、センサＳ１３からの出力信号に基づいて手差し部１１３にカード媒体がセットされたと判断したのに基づいて（ＳＴ１１、Ｙ）、通信制御部２０９を制御して、操作ユニット１０の入力部１３を介してスタートキーが押下されたか否かを検知する（ＳＴ３２）。
【００４９】
続いて、ＣＰＵ２００は、スタートキーが押下されたと判断したのに基づいて（ＳＴ３２、Ｙ）、搬送制御部２０７を制御して搬送機構１５０を駆動するとともに、供給制御部２０２を制御して手差し部１１３から１枚のカード媒体を供給する（再供給）（ＳＴ３３）。
【００５０】
続いて、ＣＰＵ２００は、読取制御部２０３を制御して、バーコードリーダ部１２１を駆動し、カード媒体に予め印刷されたバーコードを光学的に読み取る（ＳＴ３４）。続いて、ＣＰＵ２００は、磁気処理部２０４を制御して、読取ヘッド１２２を駆動し、磁気バーコード及びその他の磁気トラックに予め記録された磁気情報を読み取ると同時に、再供給前に書込ヘッド１２３を介して書き込まれた識別情報を読み取る（ＳＴ３５）。
【００５１】
続いて、ＣＰＵ２００は、読取ヘッド１２２を介して識別情報が読み取れたか否かを判断する（ＳＴ３６）。すなわち、ＣＰＵ２００は、カード媒体から識別情報が読み取れなかった場合には（ＳＴ３６、Ｙ）、カード媒体が「磁気処理前」もしくは「磁気処理途中」であると判断する。そして、ＣＰＵ２００は、メモリ部２０１に記憶した処理履歴を参照し、「磁気処理前」または「磁気処理途中」の処理履歴を有する識別番号を読み出し、さらに、この識別番号に対応する所定磁気情報及び所定印刷情報を用意する（ＳＴ３７）。
【００５２】
続いて、ＣＰＵ２００は、磁気処理部２０４を制御して、書込ヘッド１２３を駆動し、「磁気処理前」の処理履歴を有するカード媒体の磁気バーコード及びその他の磁気トラックに、固有の識別情報を書き込むとともに、メモリ部２０１に記憶された識別情報に対応する所定磁気情報を書き込む（ＳＴ３８）。
【００５３】
そして、ＣＰＵ２００は、磁気処理部２０４を制御して、ベリファイヘッド１２４を駆動して磁気バーコード及びその他の磁気トラックに記録された磁気情報を読み取り、書込ヘッド１２３によって書き込まれた所定の磁気情報と一致するか否かを確認する（ＳＴ３９）。
【００５４】
続いて、ＣＰＵ２００は、印刷制御部２０５を制御して、第１印刷ヘッド１３１及び第２印刷ヘッド１３２を駆動して、メモリ部２０１に記憶された所定印刷情報に基づいてカード媒体の表面及び裏面に所定情報を印刷する（ＳＴ４０）。
【００５５】
続いて、ＣＰＵ２００は、集積制御部２０６を制御して、スタッカ部１４１を駆動し、磁気処理及び印刷処理が施されたカード媒体を集積する（ＳＴ４１）。また、ＣＰＵ２００は、メモリ部２０１に記憶した処理履歴を「完了」に変更する。これにより、１枚の再供給カード媒体に対する一連のカード処理動作を終了する。
【００５６】
一方、ステップＳＴ３６において、ＣＰＵ２００は、カード媒体から識別情報を読み取った場合には（ＳＴ３６、Ｎ）、カード媒体が「印刷処理前」「印刷処理途中」「印刷処理後」のいずれかであると判断する。そして、ＣＰＵ２００は、メモリ部２０１に記憶した処理履歴を参照し、カード媒体から読み取った識別情報が存在するか否かを判断する（ＳＴ４２）。
【００５７】
そして、ＣＰＵ２００は、該当する識別番号が存在しないと判断したのに基づいて（ＳＴ４２、Ｎ）、再供給されたカード媒体を回収部に回収する（ＳＴ４３）。また、ＣＰＵ２００は、該当する識別番号が存在すると判断したのに基づいて（ＳＴ４２、Ｙ）、識別番号に関連付けされた処理履歴が「印刷処理途中」であるか否かを判断する（ＳＴ４４）。
【００５８】
そして、ＣＰＵ２００は、処理履歴が「印刷処理途中」であると判断したのに基づいて（ＳＴ４４、Ｙ）、再供給されたカード媒体を回収部に回収する（ＳＴ４３）。また、ＣＰＵ２００は、処理履歴が「印刷処理途中」ではないと判断したのに基づいて（ＳＴ４４、Ｎ）、処理履歴が「印刷処理後」であるか否かを判断する（ＳＴ４５）。
【００５９】
そして、ＣＰＵ２００は、処理履歴が「印刷処理後」であると判断したカード媒体に対しては（ＳＴ４５、Ｎ）、ステップＳＴ３７乃至ＳＴ４０により、識別番号に対応する所定磁気情報に基づいた磁気処理及び所定印刷情報に基づいた印刷処理がなされる。
【００６０】
また、ＣＰＵ２００は、処理履歴が「印刷処理前」であると判断したカード媒体に対しては（ＳＴ４５、Ｙ）、識別番号に対応する所定磁気情報及び所定印刷情報を用意する（ＳＴ４６）。
【００６１】
続いて、ＣＰＵ２００は、磁気処理部２０４を制御して、書込ヘッド１２３を駆動し、「印刷処理前」の処理履歴を有するカード媒体の磁気バーコード及びその他の磁気トラックに、固有の識別情報を書き込むとともに、メモリ部２０１に記憶された識別情報に対応する所定磁気情報を書き込む（ＳＴ４７）。
【００６２】
そして、ＣＰＵ２００は、磁気処理部２０４を制御して、ベリファイヘッド１２４を駆動して磁気バーコード及びその他の磁気トラックに記録された磁気情報を読み取り、書込ヘッド１２３によって書き込まれた所定の磁気情報と一致するか否かを確認する（ＳＴ４８）。
【００６３】
続いて、ＣＰＵ２００は、印刷ヘッドを介した印刷処理を行うことなくカード媒体を搬送し、集積制御部２０６を制御して、スタッカ部１４１を駆動し、磁気処理が施されたカード媒体を集積する（ＳＴ４１）。また、ＣＰＵ２００は、メモリ部２０１に記憶した処理履歴を「完了」に変更する。これにより、１枚の再供給カード媒体に対する一連のカード処理動作を終了する。
【００６４】
続いて、ＣＰＵ２００は、メモリ部２０１に記憶した処理履歴を参照し、２枚目の再供給カード媒体が存在するか否かを判断する（ＳＴ４９）。そして、ＣＰＵ２００は、再供給カード媒体が存在すると判断したのに基づいて（ＳＴ４９、Ｙ）、手差し部１１３に２枚目の再供給カード媒体をセットするよう促す（ＳＴ５０）。また、ＣＰＵ２００は、再供給カード媒体が存在しないと判断したのに基づいて（ＳＴ４９、Ｎ）、手差し部１１３を介した再供給処理を終了する。
【００６５】
上述したように、カード製造ユニットにおいて、異常発生時には、搬送機構の駆動が停止し、搬送路中にカード媒体が滞留することになる。このようなカード媒体に対して、固有の識別番号に関連付けて処理履歴を付与する。処理履歴としては、例えば「磁気処理前」、「磁気処理途中」、「印刷処理前」、「印刷処理途中」、「印刷処理後」、「完了」などである。このような処理履歴を付与されたカード媒体は、破損していない限り、手差し部を介して再供給可能である。
【００６６】
すなわち、再供給されたカード媒体のうち、読取ヘッドにて識別情報が読み取れなかったカード媒体は、「磁気処理前」あるいは「磁気処理途中」の処理履歴を有しているものと判断する。そして、このような処理履歴を有する識別番号を検索し、対応する所定磁気情報及び所定印刷情報を用意する。そして、用意された所定磁気情報に基づいてカード媒体に対して磁気処理を施すとともに、所定印刷情報に基づいてカード媒体に対して印刷処理を施す。
【００６７】
また、読取ヘッドにて識別情報を読み取った場合には、読み取った識別番号に基づいて対応する処理履歴を検索する。そして、再供給されたカード媒体のうち、識別情報に対応する処理履歴が「印刷処理途中」であるカード媒体は、回収部に回収される。また、読み取った識別情報に該当する処理履歴が無いカード媒体も同様に回収部に回収される。
【００６８】
さらに、再供給されたカード媒体のうち、識別情報に対応する処理履歴が「印刷処理前」であるカード媒体に対しては、対応する所定磁気情報及び所定印刷情報を用意する。そして、用意された所定磁気情報に基づいてカード媒体に対して磁気処理を施すとともに、所定印刷情報に基づいてカード媒体に対して印刷処理を施す。
【００６９】
またさらに、再供給されたカード媒体のうち、識別情報に対応する処理履歴が「印刷処理後」であるカード媒体に対しては、対応する所定磁気情報を用意する。そして、用意された所定磁気情報に基づいてカード媒体に対して磁気処理を施し、印刷処理をすることなく集積部に集積される。
【００７０】
このように、異常発生時に搬送路の途中に滞留したカード媒体に対して、識別番号に関連付けて処理履歴を作成することにより、カード媒体を再供給した際に処理履歴に基づいた適切な処理を施すことができる。これにより、カード媒体を再利用可能となり、カード媒体の浪費を抑制することができる。
【００７１】
また、係員に対して搬送路中に滞留しているカード媒体の位置を報知することで、係員が速やかにカード媒体を回収することができ、しかも、回収したカード媒体を手差し部から再供給するのみで、一連のカード処理動作に復帰することができる。このため、係員の負担を軽減することができる。
【００７２】
さらに、単位時間当たりのカード製造枚数を増やすために、搬送路中に複数のカード媒体が存在する場合であっても、それぞれのカード媒体に対する処理履歴を作成することによって、再供給時に適切な処理を施して、カード媒体を再利用することが可能となある。なお、上述した実施の形態では、先に供給されたカード媒体のベリファイ完了のタイミングで次のカード媒体を供給したが、この例に限定されるものではなく、他のタイミングで次のカード媒体を供給しても良いし、２枚以上のカード媒体を同時に搬送路上に繰り出して並行処理を行っても良い。
【００７３】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００７４】
【発明の効果】
以上説明したように、この発明によれば、係員の負担を増大することなく、異常を発生したカード媒体を再利用可能とするカード処理装置及びカード処理方法を提供することができる。
【図面の簡単な説明】
【図１】図１は、この発明の一実施の形態に係るカード処理システムの構成を概略的に示す図である。
【図２】図２は、図１に示したカード製造ユニットにおける各セクションの構成を概略的に示す図である。
【図３】図３は、図２に示したカード製造ユニットの制御系の構成を概略的に示すブロック図である。
【図４】図４は、図３に示したメモリ部に記憶される識別情報に対応する処理履歴の一例を示す図である。
【図５】図５は、一連のカード媒体処理業務を説明するためのフローチャートである。
【図６】図６は、カード媒体に対する処理履歴を作成するための処理工程を説明するためのフローチャートである。
【図７】図７は、カード媒体の再供給時における処理工程を説明するためのフローチャートである。
【符号の説明】
１…カード処理システム
１０…操作ユニット
１００…カード製造ユニット１００
１１０…供給部（供給手段）
１１１…上部ホッパ（第１供給手段）
１１２…下部ホッパ（第１供給手段）
１１３…手差し部（第２供給手段）
１２０…磁気処理部（磁気処理手段）
１２４…ベリファイヘッド（異常検知手段）
１３０…印刷処理部（印刷手段）
１４０…集積部
１４１…スタッカ部
１４２…回収部（回収手段）
１５０…搬送機構（搬送手段）
２００…ＣＰＵ（制御手段）
２０１…メモリ部（記憶手段）
Ｓ…センサ（異常検知手段）
【図１】
2004206407.tif 000003
【図２】
2004206407.tif 000004
【図３】
2004206407.tif 000005
【図４】
2004206407.tif 000006
【図５】
2004206407.tif 000007
【図６】
2004206407.tif 000008
【図７】
2004206407.tif 000009